(57)【要約】【課題】天井が完成した後におけるスプリンクラー装置の施工及びメンテナンスを容易にすることができる、スプリンクラー装置のための固定装置及び固定方法を提供する【解決手段】本発明による固定装置(10)は、野縁(6,7)に固定される一対の棒状部(12,14)と、一対の棒状部(12,14)に固定された中間部(20)を有し、中間部(20)にスプリンクラーヘッド(26)と、スプリンクラー配管(28)が固定される。野縁(6,7)に一対の棒状部(12,14)が固定されていないとき、一対の棒状部(12,14)は、野縁(6,7)の上を摺動可能であり、その結果、中間部(20)が開口(8)の上を移動可能である。それにより、天井パネル(4)の下側から、中間部(20)よりも上側に位置する配管作業箇所(42)にアクセスすることを容易にする。【選択図】図２
2010159603.tif 000002
【特許請求の範囲】
【請求項１】
スプリンクラー装置を、天井パネルの下側からの作業によって、天井パネルを上側から保持する野縁に固定することを可能にする固定装置であって、
互いに平行に配置され且つ野縁に固定可能な一対の棒状部と、前記一対の棒状部の間を橋渡しするように前記一対の棒状部の長手方向の中間に固定された中間部と、を含む固定部材を有し、
前記固定部材の一対の棒状部は、隣接した野縁の間においてスプリンクラー装置からの散水及びその取付けのために天井パネルに形成される開口の上を横切るように、前記隣接した野縁の一方の上から他方の上に延び、前記固定部材の中間部の少なくとも一部分は、前記開口の上に位置し、
スプリンクラー装置は、前記固定部材の中間部の下側に配置されるスプリンクラーヘッドと、前記スプリンクラーヘッドに向かって前記中間部の上側から下側に延び且つ前記中間部に固定されるスプリンクラー配管とを有し、前記スプリンクラー配管は、前記中間部よりも上側に位置する配管作業箇所を有し、
前記隣接した野縁に前記固定部材の一対の棒状部が固定されていないとき、前記一対の棒状部は、前記隣接した野縁の上を摺動可能であり、その結果、前記固定部材の中間部が、前記配管作業箇所への天井パネルの下側からのアクセスを容易にするように前記開口の上を移動可能であることを特徴とする、固定装置。
【請求項２】
前記スプリンクラー配管は、前記固定部材の中間部の上側に固定される配管接続部を有し、前記配管接続部は、前記隣接した野縁の一方の側に向けられた接続ポートと、前記隣接した野縁の他方の側に向けられた接続ポートとを有し、これらの接続ポートは、前記配管作業箇所を構成し、
前記隣接した野縁に前記固定部材の一対の棒状部が固定されていないとき、前記一対の棒状部は、前記隣接した野縁の上を前記一方の側及び前記他方の側に向かって摺動可能であることを特徴とする、請求項１に記載の固定装置。
【請求項３】
更に、前記隣接した野縁のそれぞれに取付けられるブラケットを有し、前記ブラケットは、前記固定部材の一対の棒状部が前記長手方向と垂直な方向に移動することを規制する規制部を有し、
前記隣接した野縁に前記固定部材の一対の棒状部が固定されていないとき、前記一対の棒状部は、前記隣接した野縁の上を前記規制部に規制された状態で前記長手方向に摺動可能であることを特徴とする、請求項１又は２に記載の固定装置。
【請求項４】
前記固定部材及び前記スプリンクラー配管は、前記開口を通して天井パネルの下側から上側に導入することが可能であることを特徴とする、請求項１〜３のいずれか１項に記載の固定装置。
【請求項５】
更に、前記開口を下側から覆うカバーと、
前記カバーを前記天井パネルに向かって押付けるために、前記カバーと前記中間部との間に配置された引張りばねと、を有することを特徴とする請求項１〜４のいずれか１項に記載の固定装置。
【請求項６】
スプリンクラー装置を、天井パネルの下側からの作業によって、天井パネルを上側から保持する野縁に固定する固定方法であって、
隣接した野縁の間において、スプリンクラー装置からの散水及びその取付けのための開口を天井パネルに天井パネルの下側から形成する工程と、
スプリンクラー装置の配管の少なくとも一部を、前記開口を通して天井パネルの上側に導入する工程と、
互いに平行に配置され且つ前記野縁に固定可能な一対の棒状部と、前記一対の棒状部の間を橋渡しするように前記一対の棒状部の長手方向の中間に固定された中間部と、を含む固定部材を前記開口を通して天井パネルの上側に導入する工程と、
前記固定部材の一対の棒状部を、前記開口の上を横切り且つ前記隣接した野縁の一方から他方に延びるように前記隣接した野縁の上に配置する工程と、
前記固定部材の一対の棒状部を前記隣接した野縁の上で移動させ、前記固定部材の中間部を前記開口の一方の側に寄せ、前記配管を前記固定部材の中間部の上側から下側に延びるように前記中間部に仮固定する工程と、
前記固定部材の一対の棒状部を前記隣接した野縁に固定する工程と、
前記固定部材の一対の棒状部を前記隣接した野縁の上で摺動させ、前記スプリンクラー配管を前記開口に対する所定の位置に配置して、前記固定部材の一対の棒状部を前記隣接した野縁に固定する工程と、
前記固定部材を前記野縁に固定した後、仮固定されていた前記配管を前記固定部材の中間部に固定する工程と、を有することを特徴とする固定方法。
【請求項７】
前記配管は、継手を含み、前記継手を前記固定部材の中間部に仮固定している間、前記継手は前記固定部材の中間部に対して回転可能であることを特徴とする、請求項６に記載の固定方法。
【発明の詳細な説明】
【技術分野】
【０００１】
本発明は、スプリンクラー装置を天井パネルに対して固定するための固定装置及び固定方法に関し、更に詳細には、スプリンクラー装置を、天井パネルの下側からの作業によって天井パネルに対して固定することが可能な固定装置及び固定方法に関する。
【背景技術】
【０００２】
火災を自動的に検出して天井等から散水するスプリンクラー装置が知られている。スプリンクラー装置は、水を噴射するスプリンクラーヘッドと、スプリンクラーヘッドに水を供給するために天井パネルの上側に通されるスプリンクラー配管とを有している。具体的には、スプリンクラー配管の大部分は、吊り具等によって吊られ、スプリンクラーヘッド及びその周囲のスプリンクラー配管は、天井パネルを上側から支持するために互いに平行に配置された野縁に固定装置を介して固定されている（例えば、特許文献１〜４参照）。スプリンクラー装置を天井パネルに対して固定する作業は、一般には、天井パネルを野縁に取付けて天井を完成させる前に行われるので、作業スペース及び視野が十分に確保されている。
【先行技術文献】
【特許文献】
【０００３】
【特許文献１】実公昭第５５−２３５６０号公報（図１）
【特許文献２】特開平第７−１５１２６９号公報（図１）
【特許文献３】特開２００３−２１０６０４号公報（図５）
【特許文献４】特開２００５−３１９２７８号公報（図１）
【発明の概要】
【発明が解決しようとする課題】
【０００４】
近年、天井を完成させた後に、スプリンクラー装置を追加する作業が増加している。これは、防災意識の高まり、及び、スプリンクラー装置が設置されていない既存施設への、法改正によるスプリンクラー装置の設置の義務付け等が理由である。
【０００５】
天井の完成後に、従来と同様のスプリンクラー装置を天井パネルに対して固定する作業を行う場合、作業スペース及び視野を確保するために、多数の天井パネルを外す必要があった。このため、固定作業は、かなり手間がかかっていた。
【０００６】
また、天井の完成後に、スプリンクラー装置を点検する場合、点検するための視野を確保するために、多数の天井パネルを外して、少なくとも作業者の上半身を天井の上側に入れる必要があった。更に、スプリンクラー装置の修理や交換が必要な場合、更に、天井パネルを外す必要があった。このため、点検、修理、交換作業は、かなり手間がかかっていた。
【０００７】
そこで、本発明の目的は、天井が完成した後におけるスプリンクラー装置の施工及びメンテナンスを容易にすることができる、スプリンクラー装置のための固定装置及び固定方法を提供することにある。
【課題を解決するための手段】
【０００８】
上記課題を解決するために、本発明による固定装置は、スプリンクラー装置を、天井パネルの下側からの作業によって、天井パネルを上側から保持する野縁に固定することを可能にする固定装置であって、互いに平行に配置され且つ野縁に固定可能な一対の棒状部と、一対の棒状部の間を橋渡しするように一対の棒状部の長手方向の中間に固定された中間部と、を含む固定部材を有し、固定部材の一対の棒状部は、隣接した野縁の間においてスプリンクラー装置からの散水及びその取付けのために天井パネルに形成される開口の上を横切るように、隣接した野縁の一方の上から他方の上に延び、固定部材の中間部の少なくとも一部分は、開口の上に位置し、スプリンクラー装置は、固定部材の中間部の下側に配置されるスプリンクラーヘッドと、スプリンクラーヘッドに向かって中間部の上側から下側に延び且つ中間部に固定されるスプリンクラー配管とを有し、スプリンクラー配管は、中間部よりも上側に位置する配管作業箇所を有し、隣接した野縁に固定部材の一対の棒状部が固定されていないとき、一対の棒状部は、隣接した野縁の上を摺動可能であり、その結果、固定部材の中間部が、配管作業箇所への天井パネルの下側からのアクセスを容易にするように開口の上を移動可能であることを特徴としている。
【０００９】
このように構成された本発明による固定装置では、天井が完成した後、天井パネルに設けた開口を利用して、スプリンクラー装置を野縁に固定することができる。詳細には、開口の上に位置し且つスプリンクラー装置が固定される固定部材の中間部は、固定部材の一対の棒状部に固定されているので、一対の棒状部が隣接した野縁の上を摺動するとき、中間部が開口に対して移動する。それにより、開口から中間部の上側、即ち、裏側へのアクセス経路を確保することができる。かくして、中間部の上側に位置する配管作業箇所における作業を、天井パネルの開口から行うことができる。その結果、天井パネルを必ずしも外す必要がなくなり、スプリンクラー装置の固定作業を、従来の固定装置よりも容易に行うことができる。また、同様に、メンテナンス作業も、従来の固定装置よりも容易に行うことができる。
【００１０】
本発明の固定装置において、好ましくは、スプリンクラー配管は、固定部材の中間部の上側に固定される配管接続部を有し、配管接続部は、隣接した野縁の一方の側に向けられた接続ポートと、隣接した野縁の他方の側に向けられた接続ポートとを有し、これらの接続ポートは、配管作業箇所を構成し、隣接した野縁に固定部材の一対の棒状部が固定されていないとき、一対の棒状部は、隣接した野縁の上を摺動可能であり、その結果、固定部材の中間部が、配管作業箇所への天井パネルの下側からのアクセスを容易にするように開口の上を移動可能である。
【００１１】
このように構成された固定装置では、接続ポートが、隣接した野縁の一方の側と他方の側にある場合、開口をうまく利用して、中間部の上側の配管作業箇所の作業を行うことができる。詳細には、隣接した野縁の一方の側の接続ポートにおいて配管作業を行う場合には、固定部材、即ち、中間部を、隣接した野縁の他方の側に移動させる。それにより、開口は、隣接した野縁の一方の側の接続ポートのためのアクセス経路を構成する。次いで、隣接した野縁の他方の側の接続ポートにおいて配管作業を行う場合には、固定部材、即ち、中間部を、隣接した野縁の一方の側に移動させる。それにより、開口は、隣接した野縁の他方の側の接続ポートのためのアクセス経路を構成する。即ち、固定部材を移動させることにより、開口をある程度小さくしながら、より広範囲なアクセス経路を効率的に確保することができる。
【００１２】
本発明の固定装置において、好ましくは、更に、隣接した野縁のそれぞれに取付けられるブラケットを有し、ブラケットは、固定部材の一対の棒状部が長手方向と垂直な方向に移動することを規制する規制部を有し、一対の棒状部は、隣接した野縁の上を規制部に規制された状態で長手方向に摺動可能であり、その結果、固定部材の中間部が、配管作業箇所への天井パネルの下側からのアクセスを容易にするように開口の上を長手方向に移動可能である。
【００１３】
このように構成された固定装置では、一対の棒状部（固定部材）を野縁に固定する位置の確認が容易になる。
【００１４】
本発明の固定装置において、好ましくは、固定部材及びスプリンクラー配管は、開口を通して天井パネルの下側から上側に導入することが可能である。
【００１５】
このように構成された本発明による固定装置では、天井パネルを外すことなしに、固定部材（一対の棒状部及び中間部）及びスプリンクラー配管を天井パネルの上側、即ち、裏側に導入することができるので、天井パネルを外すことなしに、スプリンクラー装置を天井パネルに固定することが可能である。
【００１６】
本発明の固定装置において、好ましくは、更に、開口を下側から覆うカバーと、カバーを天井パネルに向かって押付けるために、カバーと中間部との間に配置された引張りばねと、を有する。
【００１７】
このように構成された固定装置では、スプリンクラーヘッドに対して大きく形成された開口を、見た目良く覆うことができる。逆にいえば、開口を大きくして、アクセス経路を広くすることにより、作業性を向上させることができる。
【００１８】
また、上記目的を達成するために、本発明による固定方法は、スプリンクラー装置を、天井パネルの下側からの作業によって、天井パネルを上側から保持する野縁に固定する固定方法であって、隣接した野縁の間において、スプリンクラー装置からの散水及びその取付けのための開口を天井パネルに天井パネルの下側から形成する工程と、スプリンクラー装置の配管の少なくとも一部を、開口を通して天井パネルの上側に導入し、スプリンクラー配管の配管作業を天井パネルの下側から行う工程と、互いに平行に配置され且つ前記野縁に固定可能な一対の棒状部と、前記一対の棒状部の間を橋渡しするように前記一対の棒状部の長手方向の中間に固定された中間部と、を含む固定部材を開口を通して天井パネルの上側に導入して、固定部材の一対の棒状部が開口の上を横切り且つ隣接した野縁の一方から他方に延びるように隣接した野縁の上に配置する工程と、固定部材の一対の棒状部を隣接した野縁の上で摺動させ、固定部材の中間部を開口の一方の側に寄せ、スプリンクラー配管を固定部材の中間部の上側から下側に延びるように中間部に仮固定する工程と、固定部材の一対の棒状部を隣接した野縁の上で摺動させ、スプリンクラー配管を開口に対する所定の位置に配置して、固定部材の一対の棒状部を隣接した野縁に固定する工程と、固定部材を天井パネル保持部に固定した後、仮固定されていたスプリンクラー配管を固定部材の中間部に固定する工程と、を有することを特徴としている。
【００１９】
このように構成された本発明による固定方法では、天井が完成した後、天井パネルに設けた開口を利用して、天井パネルの下側からの作業によってスプリンクラー装置を野縁に固定することができる。詳細には、開口の上に位置し且つスプリンクラー装置が固定される固定部材の中間部は、固定部材の一対の棒状部に固定されているので、一対の棒状部が隣接した野縁の上を摺動するとき、中間部が開口に対して移動する。それにより、開口から中間部の上側、即ち、裏側へのアクセス経路を確保することができる。かくして、中間部の上側に位置する配管作業箇所における作業を、天井パネルの開口から行うことができる。その結果、天井パネルを必ずしも外す必要がなくなり、スプリンクラー装置の固定作業を、従来の固定方法よりも容易に行うことができる。また、同様に、メンテナンス作業も、従来の固定方法よりも容易に行うことができる。
【００２０】
本発明の固定方法において、好ましくは、配管は、継手を含み、継手を中間部に仮固定している間、継手は中間部に対して回転可能である。
【００２１】
このように構成された固定方法によれば、継手に接続されるスプリンクラー配管の向きに応じて、継手が回転し、その後、最も適当な向きで継手を固定することができる。
【発明の効果】
【００２２】
以上説明したように、本発明によるスプリンクラー装置のための固定装置及び固定方法によれば、天井が完成した後におけるスプリンクラー装置の施工及びメンテナンスを容易にすることができる。
【図面の簡単な説明】
【００２３】
【図１】住宅用のスプリンクラー装置の配管の一例の概略図である。
【図２】スプリンクラー装置のための固定構造を示す正面図である。
【図３】図２に示す固定構造の平面図である。
【図４】図２の線IV−IVにおける断面図である。
【図５】締付け具の拡大斜視図である。
【図６】中間部を一方の側にずらした図２と同様の図である。
【図７】変形例の固定構造の正面図である。
【図８】図７に示す固定構造の平面図である。
【図９】図６の線IX−IXにおける断面図である。
【発明を実施するための形態】
【００２４】
図面を参照して、スプリンクラー装置のための本発明による固定装置の実施形態を説明する。図１は、住宅用のスプリンクラー装置の配管の一例の概略図である。図２は、スプリンクラー装置のための固定構造を示す正面図である。図３は、図２に示す固定構造の平面図である。図４は、図２の線IV−IVにおける断面図であり、図５は、締付け具の拡大斜視図である。
【００２５】
図１に示すように、住宅用のスプリンクラー装置のための配管１００は、水道管１０１からの分岐管１０２に止水栓１０３を介して取付けられた分岐ヘッダー１０４と、分岐ヘッダー１０４から停滞水防止継手１０５を介してトイレのタンク１０６まで延びるスプリンクラー配管１０７と、停滞水防止継手１０５に取付けられたスプリンクラーヘッド１０８とを有している。スプリンクラー配管１０７は、主に、天井パネル１０９の上側、即ち、裏側を通っている。
【００２６】
止水栓１０３が開いているとき、トイレの使用のたびに、スプリンクラー配管１０７の中を水が流れ、スプリンクラー装置が火災を感知したとき、停滞水防止継手１０５を介してスプリンクラーヘッド１０８から散水される。
【００２７】
図２〜図４に示すように、スプリンクラー装置のための固定構造１は、スプリンクラー装置２を、天井パネル４の下側からの作業によって天井パネル４に対して固定することが可能であり、スプリンクラー装置２と、天井パネル４と、天井パネル４を上側から保持する野縁６、７と、スプリンクラー装置２からの散水及びその取付けのために天井パネル４に形成される開口８と、本発明による固定装置の実施形態である固定装置１０とを有している。
【００２８】
天井パネル４は、例えば、石膏ボード、コンパネ等で作られた厚さが約９〜２５ｍｍの板材である。天井パネル４は、野縁６、７に木ネジ、ビス等によって固定されている。
【００２９】
野縁６、７は、互いに平行に天井パネル４に沿って延びる複数の棒状の部材である。野縁６、７は、引掛け部を有するアルミ材で作られていることが好ましい。野縁６、７はそれぞれ、開口６ａ、７ａを有する上面６ｂ、７ｂと、開口６ａ、７ａに設けられ且つ後述する締付け具５６を引掛けるための引掛け部６ｃ、７ｃを有している。
【００３０】
開口８の形状及び寸法は、後述するスプリンクラー装置２の固定作業及びメンテナンス作業を行うことができれば、任意である。例えば、開口８は、円形であり、その直径は、２５０〜３００ｍｍである。
【００３１】
固定装置１０は、野縁６、７に固定される一対の棒状部１２、１４を有している。詳細には、一対の棒状部１２、１４は、互いに間隔をおいて平行に配置された矩形断面の２本の棒状部材である。棒状部１２、１４は、軽量化のために、中空であることが好ましい。棒状部１２、１４はまた、隣り合った野縁６、７の一方の野縁６の上から他方の野縁７の上に延びている。
【００３２】
また、固定装置１０は、一対の棒状部１２、１４の間を橋渡しするように一対の棒状部１２、１４に固定された中間部２０を有している。中間部２０は、例えば、アルミニウム又はステンレスの板材で作られる。中間部２０は、一対の棒状部１２、１４に溶接されていることが好ましいが、ねじ留め等のその他の方法で固定されていてもよい。互いに固定された一対の棒状部１２、１４及び中間部材２０は、固定部材１１を構成する。
【００３３】
中間部２０は、スプリンクラー装置２を固定するための下面２０ａ、上面２０ｂ、及び貫通孔２４を有している。貫通孔２４は、中間部２０の中央に設けられている。貫通孔２４は、一対の棒状部１２、１４を橋渡しする方向Ｂに長孔になっていることが好ましい。また、中間部２０は、引張りばね４６（後述）の一方の端部を支持するために上向きに延びる延長部２０ｃを有している。
【００３４】
スプリンクラー装置２は、中間部２０の下側に配置されるスプリンクラーヘッド２６と、スプリンクラーヘッド２６に向かって中間部２０の上側から下側に延び且つ中間部２０に固定されるスプリンクラー配管２８とを有している。詳細には、スプリンクラー配管２８は、大部分が中間部２０の上側に位置した状態で固定された配管接続部３０と、天井パネルに沿って延びる樹脂製のホース３２を有している。
【００３５】
配管接続部３０は、好ましくは、停滞水防止継手である。停滞水防止継手３０は、概略的には、Ｔ字形をなし、下側に延びる下側管状部分３０ａと、側方に延びる２つの側方管状部分３０ｂとを有している。下側管状部分３０ａは、中間部２０の上面２０ｂと当接する段付き部３０ｃと、且つ中間部２０の貫通孔２４の中を下側に延びる延長部３０ｄを有している。延長部３０ｄは、散水機構を備えたスプリンクラーヘッド２６がねじ込まれる雌ネジ部３０ｅと、停滞水防止継手３０を中間部２０に締付け固定するためのナット３０ｆが螺合する雄ネジ部３０ｇとを有している。スプリンクラーヘッド２６は、延長部分３０ｄに当接して位置決めされることが好ましい。停滞水防止継手３０は、それがナット３０ｆによって中間部２０に完全に締付け固定されていない状態、即ち、仮固定された状態で、貫通孔２４を中心に回転可能である。
【００３６】
２つの側方管状部分３０ｂは、停滞水防止継手３０が中間部２０に固定されている状態において、概略的には、一方の野縁６の側と他方の野縁７の側に向けられ、かくして、一方の野縁６の側に向けられた接続ポート３４ａと、他方の野縁７の側に向けられた接続ポート３４ｂとを有している。
【００３７】
樹脂製のホース３２は、さや管３６に入れられていることが好ましく、防災継手３８等を介して、接続ポート３４ａ、３４ｂに接続されている。また、停滞水防止継手３０及びそれとホース３２との接続部の周りに、保温カバー４０が設けられていることが好ましい。保温カバー４０は、２つ割りになっており、停滞水防止継手３０を挟むように覆うことが可能である。保温カバー４０は、例えば、発泡ポリスチレンで作られている。
【００３８】
スプリンクラー配管２８は、中間部２０よりも上側に位置するいくつかの箇所に、配管作業を行う配管作業箇所４２を有している。本実施形態では、配管作業箇所４２は、停滞水防止継手３０を中間部２０に取付ける箇所３０ｃ、樹脂製のホースを防災継手３８を介して接続ポート３４ａ、３４ｂに接続する箇所、保温カバー４０を取付ける箇所等である。
【００３９】
固定装置１０は、更に、天井パネル４の開口８を下側から覆う下カバー４４と、下カバー４４を天井パネル４に向かって押付けるために、下カバー４４と中間部２０の延長部２０ｃとの間に配置された引張りばね４６とを有している。下カバー４４は、天井パネル４に下側から当接可能な環状部４４ａと、開口８をあけたときに生じ且つ環状部４４ａの内側に配置された円形のパネル部分４４ｂと、パネル部分４４ｂにあけられた中央孔を閉鎖するコンシールド４４ｃとを有していることが好ましい。
【００４０】
棒状部１２、１４は、レバー式の締付け具５６によって野縁６、７に押付けられるように固定されている。レバー式の締付け具５６は、レバーを回動させることによって、棒状部１２、１４を野縁６、７の上面６ｂに押付けて固定する種類のものであることが好ましい。具体的には、図５に示すように、締付け具５６は、回動軸線５６ｃを中心に互いに回動可能に取付けられた回動レバー５６ａと、引掛け部５６ｂとを有している。回動レバー５６ａは、回動軸線５６ｃの近くに設けられた脚部５６ｄを有し、それから一方の方向に延びている。
【００４１】
脚部５６ｄは、棒状部１２、１４の上を転動且つ摺動可能である。脚部５６ｄの輪郭は、回動レバー５６ａを上側から棒状部１２、１４に近づけるように回動させたときに、引掛け部６ｃを引っ張る力が増大するように回動軸線５６ｃと当接箇所との間の距離が増大し、且つ、回動レバー５６を更に回動させたときに、かかる距離が減少するように定められている。本実施形態では、回動レバー５６ａが水平方向に向けられたときに、かかる距離は最大になる。
【００４２】
引掛け部５６ｂは、折り曲げられた棒材からなり、回動軸線５６ｃ一方の側から下側に延びる第１の側部５６ｅと、回動軸線５６ｃの他方の側から下側に延びる第２の側部５６ｆと、第１の側部の端部と第２の側部の端部とをほぼ横方向に連結するループ部５６ｇとを有している。第１の側部５６ｅ及び第２の側部５６ｆは、Ｊ字形に延び、即ち、回動軸線５６ｃから下側に延びた後、回動レバー５６ａが回動軸線５６ｃから延びる方向と反対方向に少し上側に延びている。回動レバー５６ａ、第１の側部５６ｅ、第２の側部５６ｆ及びループ部５６ｇによって囲まれる空間は、その中を棒状部１２、１４が通り抜けることができる形状及び大きさであることが好ましい。締付け具５６の引掛け部５６ｂは、野縁６、７の引掛け部６ｃ、７ｃに引掛けられる。
【００４３】
固定部材１１（一対の棒状部１２、１４及び中間部２０）、締付け具５６、及びスプリンクラー配管２８は、組み立てられた形態で又は分解された形態で、天井パネル４の開口８を通して天井パネル４の下側から上側に導入できることが好ましい。
【００４４】
次に、スプリンクラー装置を天井パネルに固定する方法の一例を説明する。図６は、中間部を一方の側にずらした図２と同様の図である。
【００４５】
野縁６、７によって上側から保持された天井パネル４の下側から、スプリンクラー装置２からの散水のための開口８を天井パネル４に形成する。詳細には、スプリンクラー装置２を設置する箇所を、隣接した野縁６、７の間に決定する。決定した設置箇所を含み、且つ設置に必要な開口寸法を考慮した大きさの開口を、天井パネル４の下側からあける。この開口は、スプリンクラー装置２が散水するための開口でもあり、後述するスプリンクラー装置２の固定作業に使用する開口でもある。
【００４６】
次に、さや管３６に通した樹脂製のホース３２を天井パネル４の上に配置する。樹脂製のホース３２は、開口８から導入されてもよいし、他の箇所から導入されてもよい。
【００４７】
次に、停滞水防止継手３０を開口８から天井パネル４の上側に導入し、樹脂性のホース３２と停滞水防止継手３０の接続ポート３４ａ、３４ｂとを防災継手３８を介して接続する。次いで、保温カバー４０を開口８を通して導入し、停滞水防止継手３０の周り及びそれとホース３２との接続部の周りに、保温カバー４０を取付ける。開口８には妨げるものがないのでのかかる接続作業を容易に行うことができる。
【００４８】
次いで、棒状部１２、１４の両端部に、締付け具５６の引掛け部５６ｂを嵌めておき、固定部材１１（一対の棒状部１２、１４及び中間部２０）を開口８から天井パネル４の上側に導入し、隣接した野縁の一方６の側から他方７の側に延びるように野縁６、７の上に載せる。次いで、固定部材１１（一対の棒状部１２、１４及び中間部２０）を開口８の上に野縁６、７に沿って摺動させ、固定部材１１を開口８の一方の側に寄せる。
【００４９】
次に、停滞水防止継手３０を、中間部２０の上側から下側に延びるように中間部２０に仮固定する。詳細には、停滞水防止継手３０の延長部３０ｄを、中間部２０の貫通孔２４に通し、ナット３０ｆを延長部３０ｄの雄ネジ部３０ｇに螺合させ、中間部２０を締付ける。それにより、停滞水防止継手３０が中間部２０に固定される。本実施形態では、ナット３０ｆを完全に締付けない状態、即ち、停滞水継手３０を中間部２０に仮固定する。それにより、停滞水防止継手３０は、中間部２０に対して回転可能である。変形例として、一対の棒状部の一方の端部を野縁に載せ、停滞水防止継手３０を中間部２０に仮固定してから、他方の端部を野縁に載せてもよい。
【００５０】
スプリンクラー配管２８の配管作業後、固定部材１１（一対の棒状部１２、１４及び中間部２０）を開口８の上に野縁６、７に沿って摺動させ、一対の棒状部１２、１４を野縁６、７に締付け具５６によって固定する。詳細には、締付け具５６のループ部５６ｇを野縁６、７の引掛け部６ｃ、７ｃに引掛け、回動レバー５６ａを上向きから下側に水平方向を越えるまで回動させる。回動レバーは、それが棒状部１２、１４に当接するまで回動することが可能である。この状態において、引掛け部５６ｂが上側に引っ張られると共に、棒状部１２、１４が野縁６、７に押付けられて固定される。また、回動レバー５６ａが水平方向を越えるまで回動されているので、回動レバー５６ａが上向きに戻ることが防止される。
【００５１】
更に、ナット３０ｆを締め付け、停滞水防止継手３０を中間部２０に固定する。また、スプリンクラーヘッド２６を停滞水防止継手３０の雌ネジ部３０ｅにねじ込んで、固定する。
【００５２】
樹脂のホース３２は、ある程度の可撓性があるけれども、長さが決まっているため、停滞水防止継手３０の位置が変化すると、ホースに働く力が変化する。本実施形態では、ホースに働く力が変化する際、ホース３２に働く力が釣り合うように、停滞水防止継手３０が中間部２０に対して回転する。従って、ホースに不釣合いな力が働いた状態で停滞水防止継手３０を中間部２０に固定することが防止される。
【００５３】
次いで、引張りばね４６の一方の端部を中間部２０の延長部２０ｃに引掛け、他方の端部を引張り状態で下カバー４４に引掛ける。手を離すと、下カバー４４は、引張りばね４６によって天井パネル４に押付けられ、開口８が閉鎖される。
【００５４】
変形例として、固定部材１１（一対の棒状部１２、１４及び中間部２０）を導入した後、保温カバー４０を開口８を通して導入し、停滞水防止継手３０の周り及びそれとホース３２との接続部の周りに、保温カバー４０を取付けてもよい。具体的には、図６に示すように、中間部２０を一対の棒状部１２、１４に沿って一方の野縁６の側にずらす。中間部２０が開口８の中央に位置しているときは、保温カバー４０を中間部２０の上側まで導入することはできないが、中間部２０をずらすことにより、保温カバー４０が中間部２０の上側まで通る経路Ａが形成される。また、それと同時に、作業者が手を入れるスペース及び視野が確保され、保温カバー４０を容易に停滞水防止継手３０の周りに取付けることができる。保温カバー４０を一方の野縁６の側と他方の野縁７の側の両方で停滞水防止継手３０に固定する場合、いったん中間部２０を一方の野縁６の側に摺動させて、他方の野縁７の側を固定した後、次いで、中間部２０を他方の野縁７の側に摺動させて、一方の野縁６の側を固定するのがよい。
【００５５】
メンテナンスするときは、下カバー４４を外し、必要に応じて、締付け具５６を緩め、固定部材１１（一対の棒状部１２、１４及び中間部２０）を野縁６、７に沿って摺動させる。それにより、天井パネル４の下側から中間部２０の上側の配管作業箇所４２等に容易にアクセスすることが可能になる。天井パネル４を外さずにメンテナンスできるので、天井パネル４を外さなければならない場合よりも作業効率を向上させることができる。
【００５６】
また、上述した固定構造及び固定方法では、既存の野縁６を切断することなしに、スプリンクラー装置２を天井パネル４に固定することができる。逆に、既存の野縁６の寸法が分かっているため、固定部材１１（一対の棒状部１２、１４及び中間部２０）を介してスプリンクラーヘッドの高さ方向位置を予め設定することができる。
【００５７】
また、締付け具５６の回動レバー５６ａが水平方向を越えて下側に回動していることを視認できれば、棒状部１２、１４が予め設計された力でブラケット５４に押付けられていることを容易に確認することができる。
【００５８】
次に、図面を参照して、スプリンクラー装置のための本発明による固定装置の変形形態を説明する。図７は、変形例の固定構造を示す正面図である。図８は、図２に示す固定構造の平面図である。図９は、図７の線IX−IXにおける断面図である。
【００５９】
固定装置１０は、更に、野縁６、７に固定されるブラケット６４を有している。ブラケット６４は、野縁６、７に引掛けることが可能な第１の水平部６４ａと、野縁６に側方から当接する垂直部６４ｂと、棒状部１２、１４を載せることができる上面６４ｄを有する第２の水平部６４ｃとを有している。第１の水平部６４ａの先端から下側に延長部が延びていることが好ましい。垂直部６４ｂは、ブラケット６４を野縁６に側方からねじで留めるための孔６４ｅを有している。
【００６０】
ブラケット６４は、更に、一対の棒状部１２、１４を位置決めするための規制部を有している。具体的には、垂直部６４ｂから上側に延び且つ野縁方向Ｂに間隔をおいて配置された４つの上向き延長部６４ｆを有しており、上記規制部は、隣接した上向き延長部６４ｆの側縁６５によって構成されている（図９参照）。本実施形態では、隣接した上向き延長部６４ｆの間の距離Ｄは、棒状部１２、１４の幅Ｗよりも僅かに大きく、かくして、隣接した上向き延長部６４ｆの間に棒状部１２、１４を配置したときに、棒状部１２、１４が、予め決められたピッチＰに位置決めされる。また、ブラケット６４の取付け位置が正確であれば、隣接した上向き延長部６４ｆの間に棒状部１２、１４を配置したときに、棒状部１２、１４が、野縁方向Ｂに対して垂直な方向に位置決めされる。変形例として、棒状部１２、１４を上向き延長部６４ｆの側縁６５に当接させることによって、棒状部１２、１４を位置決めしてもよい。この場合、中央寄りの上向き延長部６４ｆだけが設けられてもよいし、両側の上向き延長部６４ｆだけが設けられてもよい。ブラケット６４は、１枚の板材から形成されていることが好ましい。
【００６１】
上記変形形態の固定装置を用いてスプリンクラー装置を天井パネルに固定する方法において、開口８をあけた後、ブラケット６４を開口８から天井パネル４の上側に導入し、その上側水平部６４ａを野縁６、７に引掛けると共に、開口８から取付け工具、例えば、電動ドリルを差入れ、ブラケット６４を、垂直部６４ｂの側方から野縁６、７にねじ止め固定する。
【００６２】
固定部材１１（一対の棒状部１２、１４及び中間部２０）を開口８から天井パネル４の上側に導入し、隣接した野縁の一方６の側から他方７の側に延びるように野縁６、７の上に載せるとき、棒状部１２、１４の両端部をブラケット６４の規制部、即ち、側縁６５によって、棒状部１２、１４がブラケット６４に対して位置決めされると共に、棒状部１２、１４の野縁方向Ｂの移動が阻止される。それにより、棒状部１２、１４の野縁６への位置決めが一層容易になる。棒状部１２、１４が所定の場所にピッチＰで位置決めされる。
【００６３】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【００６４】
上記固定方法の実施形態では、停滞水防止継手３０をホース３２に取付けてから、停滞水防止継手３０を中間部２０に仮固定したけれども、その逆に、停滞水防止継手３０を中間部２０に仮固定してから、それらを開口８を通して、天井パネル４の上側に導入し、停滞水防止継手３０をホース３２に取付けてもよい。この場合、配管作業箇所４２が、接続ポート３４ａ、３４ｂの箇所になる。中間部２０が棒状部１２、１４に沿って摺動するので、ホース３２の取付けを、開口８に手を導入することによって行うことができる。
【００６５】
上記実施形態では、野縁６、７がアルミ材である場合を説明したが、野縁６、７が矩形断面等の木材であってもよい。
【符号の説明】
【００６６】
２  スプリンクラー装置
４  天井パネル
６、７  野縁
８  開口
１０  固定装置
１１  固定部材
１２、１４  一対の棒状部
２０  中間部
２６  スプリンクラーヘッド
２８  スプリンクラー配管
３０  停滞水防止継手（配管接続部、継手）
３２  ホース
３４ａ、３４ｂ  接続ポート
４２  配管作業箇所
４４  下カバー
４６  引張りばね
５６  締付け具
６４  ブラケット
６５  側縁（規制部）
【図１】
2010159603.tif 000003
【図２】
2010159603.tif 000004
【図３】
2010159603.tif 000005
【図４】
2010159603.tif 000006
【図５】
2010159603.tif 000007
【図６】
2010159603.tif 000008
【図７】
2010159603.tif 000009
【図８】
2010159603.tif 000010
【図９】
2010159603.tif 000011